(57)【要約】【課題】　ＣＤＭＡ信号において、拡散率によりコミュニケーション信号を表す直交符号のパワー・レベルの時間的履歴を表示する。【解決手段】　複数のサブ符号を一緒にベース符号としてグループ化する符号インデックス・ビット反転順序の第１グラフ１２と、符号インデックス順序の第２グラフ１４とから構成する。第１グラフの各ラインはデータ記録を表し、各データ・ポイントは対応するベース符号のパワー・レベルを表すシェーディング値の符号インデックスを表す。第２グラフの各ラインは第１グラフの同じラインに対応するデータ記録を表し、各データ・ポイントはベース符号のパワー・レベルを表すシェーディング値を有する。【選択図】図１
2004080784.tif 000002
【特許請求の範囲】
【請求項１】
　拡散率によりコミュニケーション信号を表す直交符号のパワー・レベルの時間的履歴の表示であって、
　対応する拡散率により決定される複数のサブ符号を一緒にベース符号としてグループ化する符号インデックス・ビット反転順序の第１グラフと、
　符号インデックス順序の第２グラフとを具え、
　上記第１グラフの各ラインは、上記コミュニケーション信号のデータ記録を表し、各ラインの各データ・ポイントは、対応するベース符号のパワー・レベルを表すシェーディング値を有する上記コミュニケーション信号の符号インデックスを表し、
　上記第２グラフの各ラインは、上記第１グラフの同じラインに対応する上記コミュニケーション信号のデータ記録を表し、各ラインの各データ・ポイントは、上記対応するベース符号のパワー・レベルを表す上記シェーディング値を有する
　ことを特徴とする直交符号のパワー・レベルの時間的履歴表示。
【請求項２】
　最も古いデータ記録を表すグラフの一端のラインを削除する間に新たなデータ記録を取り込んで、各グラフがこのグラフの反対の一端に新たなラインを追加することを特徴とする請求項１の直交符号のパワー・レベルの時間的履歴表示。
【発明の詳細な説明】
【技術分野】
【０００１】
　本発明は、一般に、コミュニケーション信号情報の表示に関し、特に、拡散率（spreading factor）による直交符号パワーの時間的履歴の表示に関する。
【背景技術】
【０００２】
　符号分割多元接続（ＣＤＭＡ）信号における直交符号のパワーを表示する種々の方法がある。直交符号を用いるＣＤＭＡ信号において、これら符号の総ては同じレングス（拡散率（spreading factor）として知られている）であり、各符号に存在するパワー量、即ち、符号ドメイン・パワー（ＣＤＰ）は、２次元のグラフで、符号ナンバー・インデックスに対する各符号のパワーを描画して表示できる。これは、ＣＤＰ情報を表示するために、線形のインデックス符号順序を用いる従来の良く理解されている方法である。ｃｄｍａ２０００の如き最近のＣＤＭＡシステムは、可変する拡散率の符号、即ち、異なるレングスの用途を特定して、ＣＤＰの表示を面倒にしている。最大の拡散率符号に適するＣＤＰグラフにて表示する際、特に、小さな拡散率の符号は、所定距離にある多数のサブ符号に散乱してしまう。なお、この所定距離は、８インデックス間隔の８個のサブ符号を有する拡散率を１２８の符号グラフに表示する際に、最大の拡散率符号システム、即ち、拡散率が１６の符号との関連で決まる。また、個別のサブ符号のパワー・レベルによっては、低い拡散率符号の総合符号パワーが正しく指示されない。異なる拡散率値の符号が存在するとき、これら両方の係数により、ＣＤＰ計算の結果の解釈に違いが生じる。
【０００３】
　米国特許第６２１９３４０号（特許文献１）は、異なる拡散率又は符号レイヤーの直交符号を有するＣＤＭＡ信号のパワー・レベルを表示する方法を記載している。この表示において、各アクティブな符号チャネルのパワー・レベルは、垂直バー（帯）を用いて表示され、このバーの幅が、その符号レイヤーにおいて、どの符号チャネルがアクティブかを示す。しかし、この表示は、ベース符号に対するサブ符号の関係を強調しない。この欠点は、特開２００３−６０６２０号公報（特許文献２）に記載された技術により改善された。この技術では、ベース符号に対するサブ符号の関係は、次の２つのグラフを用いて指示される。このグラフの１つは、ビット反転インデックス符号順序で、低い拡散率の複数のサブ符号を一緒にグループ化している。さらに、ベース符号パワーの指示は、水平バーの形式であり、ウォルシュ符号順序を用いたグラフにてサブ符号を横切って延び、ベース符号パワーを表すレベルでのベース符号用の拡散率を表す。他の表示方法は、特開２００３−１７９５７５号公報（特許文献３）に記載されており、３次元を用いて、異なる拡散率の直交符号の符号ドメイン・パワーを表示している。
【０００４】
　これら方法により、ユーザは、時間的に任意のポイントでどの符号がアクティブか、また、そのパワー・レベルがどうなっているかを観察できる。また、いくつかの方法が、ベース符号及びサブ符号の関係と、拡散率とを視覚化する。しかし、種々の符号がアクティブ及び非アクティブになったとき、ライブ信号の特性により、種々の拡散率がいかに広く分散したか、又は、アクティブ不足及びアクティブ過多の符号の如き傾向を、符号パワー・グラフからいかに見つけるかが非常に困難である。これは、グラフの更新回数が単位秒当たり多く、各時点で異なるデータを示すためである。
【０００５】
　米国特許第４８７０３４８号（特開平２−３６３６４号公報に対応：特許文献４）は、カラー・スペクトラムを準３次元表示することを開示している。ここでは、時間経過に伴って発生された多くの周波数スペクトルを一連のカラー・ラインとして表示し、カラーを第３次元の代わりに用いている。各信号ラインは、完全なスペクトラムであり、ラインに沿った異なるポイントが異なる周波数を表し、各ポイントのカラーがその周波数の振幅を表す。この表示は、疑似ランダムで、均等に分割されたＸ軸を有するが、そのデータ分解能は、通常、表示ピクセル分解能以上であり、あるスペクトラム記録から次のスペクトラム記録にわたって変化しない。
【０００６】
【特許文献１】米国特許第６２１９３４０号
【特許文献２】特開２００３−６０６２０号公報
【特許文献３】特開２００３−１７９５７５号公報
【特許文献４】米国特許第４８７０３４８号（特開平２−３６３６４号公報に対応）
【発明の開示】
【発明が解決しようとする課題】
【０００７】
　そこで、拡散率による直交符号パワー・レベルの時間的経歴を表示して、ユーザが素早く傾向を見つけ、タイミング関係を判断できる方法が望まれている。
【課題を解決するための手段】
【０００８】
　本発明は、拡散率によりコミュニケーション信号を表す直交符号のパワー・レベルの時間的履歴の表示であって；対応する拡散率により決定される複数のサブ符号を一緒にベース符号としてグループ化する符号インデックス・ビット反転順序の第１グラフ（１２）と；符号インデックス順序の第２グラフ（１４）とを具え；第１グラフの各ラインは、コミュニケーション信号のデータ記録（データの記録、即ち、記録されたデータ・サンプル）を表し、各ラインの各データ・ポイントは、対応するベース符号のパワー・レベルを表すシェーディング値を有するコミュニケーション信号の符号インデックスを表し；第２グラフの各ラインは、第１グラフの同じラインに対応するコミュニケーション信号のデータ記録を表し、各ラインの各データ・ポイントは、対応するベース符号のパワー・レベルを表すシェーディング値を有することを特徴としている。
【発明の効果】
【０００９】
　本発明によれば、拡散率による直交符号パワー・レベルの時間的経歴を表示して、ユーザが素早く傾向を見つけ、タイミング関係を判断できる。
【発明を実施するための最良の形態】
【００１０】
　本発明は、拡散率により直交符号パワー・レベルの時間的履歴の表示を提供するものであり、符号ドメイン・パワーの各データ記録をラインとして表示する。ラインの各データ・ポイントは、異なる符号インデックスを表し、データ・ポイントのカラー又は輝度は、そのデータ・ポイントのベース符号のパワー・レベルを表す。データ記録は、連続ラインとして表示されており、各新たなデータ記録が取り込まれると、これが表示の新たなラインとして追加される一方、最も古いデータ記録が表示から削除される。符号拡散率が変化するコミュニケーション標準では、ビット反転及びウォルシュ符号のグラフを表示して、ベース符号を作るサブ符号のグループを示す。ビット反転グラフのＸ軸データ分解能は、これら変化する符号用の拡散率の関数である。この方法において、時間的履歴表示により、タイミング及び傾向の情報をユーザに示す。
【００１１】
　本発明の目的、利点及び新規な特徴は、添付図を参照した以下の説明から更に明らかになろう。
【実施例】
【００１２】
　図１は、本発明による時間的履歴の表示を示す平面図である。かかる図１において、符号とパワー・レベルとの関係である一連の符号ドメイン・パワー・データ記録（Data Record）が連続し平行なラインとして表示スクリーン１０に表示される。符号インデックスに対応する各ラインの各ポイントが表示され、この表示のカラー又は輝度（明るさ）が振幅レベル又はパワー・レベルを表す。このカラー又は輝度の値は、シェーディング値で表される。次々と取り込まれた多数のデータ記録は、平行に隣接して並べられ、時間経過に沿った振幅又はパワー・レベルの変動を明瞭に示す。符号インデックス・ビット反転（Bit-reversed）グラフ１２は、カラー又は輝度レベルによってベース符号のパワー・レベルを示す。ベース符号用の拡散率を表すデータ記録内の隣接したポイントにおけるサブ符号の各々にわたる単一のカラー又は輝度レベルによって、ベース符号のパワー・レベルを表示する。ベース符号のパワー・レベルは、被試験チャネルにおけるサブ符号の各ベース符号の組に対して示される。
【００１３】
　その後の記録も取り込まれ、処理されるので、前の記録表示ラインが保存され、表示スクリーン１０上で上方向（又は下方向）にシフトされて、下部（又は上部）に、新たな記録用の隙間が一度にできる。（すなわち、垂直軸が時間軸になる。）これにより、ユーザは、どの符号がアクティブか、これら符号がいつアクティブ又は非アクティブになったか、これらの拡散率は何か、各ベース符号にどの程度のパワーがあるかを明瞭に観察できる。勿論、表示スクリーン１０上の表示を回転して、時間軸を垂直軸の代わりに水平軸に沿うようにできる。
【００１４】
　図示の如き２つのグラフ、即ち、拡散率（ベース符号）により組織化されたビット反転のグラフ１２と、ウォルシュ符号（Walsh Code）インデックスにより配列されたウォルシュ符号のグラフ１４とを組み合わせて、相関関係にある対のマーカ１６を用いて、ビット反転グラフのどのベース符号と、ウォルシュ符号グラフのどのサブ符号がグループ化されたかを示す。これは、複数の非隣接サブ符号を一緒にベース符号にグループ化するｃｄｍａ２０００の如き信号標準に対して有用である。隣接サブ符号をベース符号にグループ化するＷＣＤＭＡ及びその他の標準にとって、タイミング、グループ及びパワー・レベルの情報を伝送するのに、ウォルシュ符号グラフ１４のみが必要である。異なる拡散率は、広いチャンク（かたまり）及び狭いチャンクを生じて、種々の符号に対してそれらを強調するので、ビット反転グラフ１２の表示は、個別のＸ値を有し、分解能は、通常のインターバルに制限されない。
【００１５】
　図２及び図３は、本発明による図１の時間的履歴表示を行うシステムの機能ブロック図であり、図２がその前段部分を示し、図３が図２に続く部分を示す。ＣＤＭＡ信号は、復調器（ＤＥＭＯＤ）３０で復調され、疑似ランダム・ノイズ（ＰＮ：Psedo-random Noise）逆拡散器（despreader）３２により逆拡散される（拡散された符号を元に戻す）。この結果により組み合わされたベースバンドＣＤＭＡ信号は、符号ドメイン・パワー・アナライザ３４に入力する。このアナライザ３４には、特定のコミュニケーション・ネットワーク用の最小及び最大の拡散率、例えば、４及び１２８も入力する。符号ドメイン・パワー・アナライザ３４は、組み合わさったベースバンドＣＤＭＡ信号を夫々の拡散率ＣＤＰ信号CDPSF(MAX)、CDPSF(MAX/2)、・・・CDPSF(MIN)に分割する。これらＣＤＰ信号は、ＣＤＰ選択器３６及び拡散率検出器３８に入力する。拡散率検出器３８は、各符号値に関連した拡散率SFを求める。なお、この拡散率SFは、ＣＤＰ選択器３６用の選択信号として作用する。なお、記号「[]」は、図２から図３に進むことを表す。
【００１６】
　最大拡散率ＣＤＰ信号CDPSF(MAX)は、記録作成発生器４０に入力して、線形インデックス（ウォルシュ）符号グラフ１４用の各データ取込みの単一ライン・データ記録を作成する。また、この最大拡散率ＣＤＰ信号は、マーカ処理器（マーカ発生器）４６にも入力する（入力線を省略）。記録生成発生器４０の出力をデータ記録コンパイラ４４に入力する。このコンパイラ４４は、新たなデータ記録ラインをウォルシュ符号グラフ１４用の表示メモリ部分に追加する一方、最も古いデータ記録ラインを削除する（表示メモリ部分が一杯になった場合）。ＣＤＰ選択器３６で選択された出力信号である組み合わせＣＤＰ信号CDPCOMBは、ビット反転インデックス手段４２に入力する。このビット反転インデックス手段４２の後段に他の記録作成発生器４８が続く。この記録作成発生器４８には、拡散率信号も入力する。マーカ処理器４６には、組み合わせＣＤＰ信号CDPCOMBと共に拡散率信号SFも入力する。記録発生器４８の出力は、他のデータ記録コンパイラ５０に入力する。このコンパイラ５０は、ビット反転符号グラフ１２用の表示メモリ部分に新たなデータ記録ラインを追加する一方、最も古いデータ記録ラインを削除する（表示メモリ部分が一杯になった場合）。マーカ処理器４６は、更にマーカ・インデックス制御信号も受け、この制御信号に基づき、表示用の数値リードアウトと共に信号をマーカ描画発生器５２、５４に供給する。この制御信号は、特定の符号バー（ライン）としてユーザに識別される符号グラフ１２、１４の一方における符号バーを指示するマーカを制御する。コンパイラ４４、５０と、マーカ描画発生器５２、５４との出力信号により、ビット反転のグラフ１２及びウォルシュ符号のグラフ１４の表示が行われる。
【００１７】
　上述の如く、本発明は、２つのグラフの形式で拡散率によるコミュニケーション信号用の時間的履歴表示を行う。ここで、平行な隣接するラインが、連続したデータ記録を表す。これらラインに沿う各ポイントのカラー又は輝度レベルが振幅又はベース符号のパワー・レベルを表す。新たなデータ記録をグラフの一端に追加して、最も古いデータ記録をグラフの他端から削除する。
【図面の簡単な説明】
【００１８】
【図１】本発明による時間的履歴の表示を示す平面図である。
【図２】本発明による図１の時間的履歴表示を表すシステムのブロック図であり、前段部分を示す。
【図３】本発明による図１の時間的履歴表示を表すシステムのブロック図であり、図２に続く部分を示す。
【符号の説明】
【００１９】
　１０　表示スクリーン
　１２　ビット反転符号グラフ
　１４　線形インデックス（ウォルシュ）符号グラフ
　１６　マーカ
　３０　復調器（ＤＥＭＯＤ）
　３２　疑似ランダム・ノイズ（ＰＮ）逆拡散器
　３４　符号ドメイン・パワー・アナライザ
　３６　ＣＤＰ選択器
　３８　拡散率検出器
　４０　記録作成発生器
　４２　ビット反転インデックス手段
　４４　データ記録コンパイラ
　４６　マーク処理器
　４８　記録作成発生器
　５０　データ記録コンパイラ
　５２　マーカ描画発生器
　５４　マーカ描画発生器
【図１】
2004080784.tif 000003
【図２】
2004080784.tif 000004
【図３】
2004080784.tif 000005